(57)【特許請求の範囲】
【請求項１】
エアコンのサイド、上部に囲みフロントパネルを取り付けるためのパネルボディーと、エアコンリアを囲むリアハウジングと、
フロントにあり前記パネルボディーに密接に結合するフロントパネルと、を含み、
エアコンのキャビティが前記リアハウジング、パネルボディー及びフロントパネルによって囲まれて形成され、
熱交換器、制御素子及び通風部材がいずれも前記キャビティ内に配置され、空気の排出口が前記フロントパネルの下部に設けられ、
ディフレクタープレートが空気の排出口を開閉させるようにフロントパネルに取り付けられ、又はパネルボディー上に位置するエアコンの室内機であって、
渦流形成装置が前記空気の排出口の底面に配置され、
前記渦流形成装置は、複数のチャネル凹溝を有する鋸歯面になっており、
前記フロントパネルは、上から下へ順に、第１の組合せ面、第２の組合せ面および第３の組合せ面を含み、前記第１の組合せ面の断面線は直線セグメント又は曲率が０（１／ｍｍ）に近い曲線であり、前記第２の組合せ面の断面線は、曲率が上から下へ次第に増大し、最大曲率が０．０２５（１／ｍｍ）以下である曲線であり、前記第３の組合せ面の断面線は、曲率が上から下へ次第に減少し、最小曲率が０．０００５（１／ｍｍ）を超える曲線である
ことを特徴とするエアコンの室内機。
【請求項２】
前記フロントパネルと熱交換器との間の領域に位置するエアダンピングリブが前記パネルボディーに配置される
ことを特徴とする請求項１に記載のエアコンの室内機。
【請求項３】
前記エアダンピングリブは一本以上の水平ルーバーを含むことを特徴とする請求項２に記載のエアコンの室内機。
【請求項４】
前記エアダンピングリブは一本以上の接続ストリップを含み、前記接続ストリップが水平ルーバーに垂直する方向に間隔を開けて分布される
ことを特徴とする請求項３に記載のエアコンの室内機。
【請求項５】
前記熱交換器は、フィンと、該フィンを貫通する複数の銅管とを有し、前記水平ルーバーは前記熱交換器の前記通風部材の空気排出口領域の近くにある２つの隣接する前記銅管の間の隙間の前方に位置することを特徴とする請求項４に記載のエアコンの室内機。
【請求項６】
前記リアハウジングが前記パネルボディーのリアに取り付けられ、前記パネルボディーのフロント下部と前記フロントパネルの底部とが密接に接合し、前記エアコンの室内機の側面が「Ｕ」字形の構造に形成され、エアコンの室内機の下部のフロント、リアおよび底面が一枚以上の曲面によって囲まれる
ことを特徴とする請求項１乃至５のいずれか一項に記載のエアコンの室内機。
【請求項７】
前記パネルボディーのリアにリアハウジングを取り付けるための開口部を有し、前記開口部の下縁に、リア突起が配置されていることを特徴とする請求項１乃至６のいずれか一項に記載のエアコンの室内機。
【発明の詳細な説明】
【技術分野】
【０００１】
本発明は、エアコンの室内機に関し、具体的には、パフォーマンスの最適化の効果の顕著なエアコンの室内機に関する。
【背景技術】
【０００２】
通常、エアコンは、空気冷却器、加熱器又は空気清浄器により、部屋を涼しく、又は暖かくし、空気を浄化させ、内部環境をより快適にする装置である。このようなエアコンにおいて、通風装置、空気冷却装置、加熱装置および空気清浄器が配置され、前記通風装置は、空気を室内にて強制的に循環させ、室内の空気を吸収し、熱交換又は空気浄化をしてから、空気を室内に排出するものである。
既存技術において、エアコンは絶えず改良されている。通常、エアコンの室内機は、エアコンのサイドとリアを囲んでいるリアハウジングおよびフロントに位置しリアハウジングと密着に結合されているパネルボディーを備え、エアコンのキャビティが前記リアハウジングとパネルボディーによって囲まれて形成され、熱交換器、制御ユニット、通風部材がいずれも前記キャビティ内に配置されている。
【０００３】
前記パネルボディーが通常、ネジ又はフックによりリアハウジングに固定されている。エアコンの市場が日増しに成熟してくることにつれて、エアコンの省エネ機能に対する要求もより高くなっている。このような傾向に応えるように、エアコンに対して様々な改良をして、EER（エネルギー消費効率）の高いエアコンを次々と開発しなければならない。
【０００４】
なお、本発明と関連する先行技術文献としては、特許文献１に記載の技術がある。
【先行技術文献】
【特許文献】
【０００５】
【特許文献１】特開２００９−１１５３９０号公報
【発明の概要】
【発明が解決しようとする課題】
【０００６】
本発明は、構造が簡単で、パフォーマンスが改良され、EER（エネルギー消費効率）が向上されたエアコンの室内機を提供することを目的としている。
【課題を解決するための手段】
【０００７】
上記目的を達成するために、本発明は以下の技術案を採用している。
【０００８】
すなわち、本発明は、エアコンのサイド、上部に囲みフロントパネルを取り付けるためのパネルボディーと、エアコンリアを囲むリアハウジングと、フロントにあり前記パネルボディーに密接に結合するフロントパネルと、を含み、エアコンのキャビティがリアハウジング、パネルボディー及びフロントパネルによって囲まれて形成され、熱交換器、制御素子及び通風部材がいずれもキャビティ内に配置され、空気の排出口が前記フロントパネルの下部に設けられ、ディフレクタープレートが空気の排出口を開閉させるようにフロントパネルに取り付けられ、又はパネルボディー上に位置するエアコンの室内機である。
そして、渦流形成装置が前記空気の排出口の底面に配置され、渦流形成装置は、複数のチャネル凹溝を有する鋸歯面になっており、フロントパネルは、上から下へ順に、第１の組合せ面、第２の組合せ面および第３の組合せ面を含み、第１の組合せ面の断面線は直線セグメント又は曲率が０（１／ｍｍ）に近い曲線であり、第２の組合せ面の断面線は、曲率が上から下へ次第に増大し、最大曲率が０．０２５（１／ｍｍ）以下である曲線であり、第３の組合せ面の断面線は、曲率が上から下へ次第に減少し、最小曲率が０．０００５（１／ｍｍ）を超える曲線であることを特徴としている。
【０００９】
前記渦流形成装置は、複数のチャネルの凹溝を有する鋸歯状の表面である。
【発明の効果】
【００１０】
本発明の有益的な効果は以下の通りである。
本発明のエアコンの室内機によれば，空気の排出口の底面に複数のチャネル凹溝を有する鋸歯面を備える渦流形成装置が配置されているため、熱交換器を通過した空気流が鋸歯面に渦流を形成することで、空気の排出口の温度が均一であるように確保し、局部の温度差が大きいことによる凝縮液の形成を回避し、ドレンの改善に効果がある。
【図面の簡単な説明】
【００１１】
【図１】本発明に係わるエアコンの室内機の側面の構造を示す図である。
【図２】本発明に係わるエアコンの室内機の立体構造を示す図である。
【図３】本発明に係わるエアコンの室内機のスカート構造を示す図である。
【図４】本発明に係わるエアコンの室内機の全体構造を示す図である。
【図５】本発明に係わるエアコンの室内機のパネルボディーの構造を示す図である。
【図６】本発明に係わるエアコンの室内機のパネルボディーの空気排出口の底面構造を示す図である。
【図７】本発明に係わるエアコンの室内機のパネルボディーの正面構造を示す図である。
【図８】本発明に係わるエアコンの室内機のパネルボディーの構造を示す図である。
【図９】本発明に係わるエアコンの室内機のパネルボディーの後部構造を示す図である。
【発明を実施するための形態】
【００１２】
本発明において、図１、２、５、６に示すように、エアコンのサイド、上部を囲んで、フロントパネルを取り付けるためのパネルボディー２と、エアコンのリアを囲むリアハウジングと、前方にありパネルボディーと密接に結合しているフロントパネル１とを含むエアコンの室内機が開示されている。エアコンのキャビティが前記リアハウジング、パネルボディー２およびフロントパネル１によって囲まれ形成され、熱交換器５、制御素子及び通風部材4がいずれも前記キャビティ内に配置され、前記フロントパネル１の下部に空気排出口が設けられ、ディフレクタープレートが空気排出口を開閉させるように、フロントパネル１に取り付けられ、又はパネルボディー２上に配置されている。その中、渦流形成装置が空気排出口の底面に配置されている。
【００１３】
前記渦流形成装置は、複数の凹溝を有する鋸歯面２５を含み、熱交換器５を通過した空気流が鋸歯面２５にて渦流を形成することで、空気排出口の温度が均一であるように確保し、局部の温度差が大きいことによる凝縮液の形成を回避し、ドレンの改善に効果がある。
【００１４】
図１、２、５、７、８に示すように、前記パネルボディー２にフロントパネルと熱交換器との間の領域に位置するエアダンピングリブ２６が配置されている。
【００１５】
前記エアダンピングリブ２６は一本以上の水平ルーバーを含む。
【００１６】
前記エアダンピングリブ２６は一本以上の接続ストリップが含まれ、前記接続ストリップが水平ルーバーに垂直する方向に間隔をあけて分布されている。
【００１７】
熱交換器５はフィン５２、およびフィンを貫通する複数の銅管５１が含まれる。前記水平ルーバーは熱交換器５の通風部材４の空気排出口の領域の近くにある隣接する２本の銅管５１の間の隙間のフロントに位置する。
【００１８】
前記リアハウジングはパネルボディー２のリアに取り付けられ、パネルボディー２のフロント下部とフロントパネル１の底部とが密接に接合されている。前記エアコンの室内機のサイドが「Ｕ」字形構造であり、エアコンの室内機の下部のフロント、リア、および底面が一枚以上の曲面によって囲まれている。
【００１９】
前記フロントパネル１は上部から下へ順に、第１の組合せ面１１と、第２の組合せ面１２および第３の組合せ面１３とを含む。前記第１の組合せ面１１の断面線は直線セグメント又は曲率が０に近いアークラインであり、第２の組合せ面１２の断面線は、曲率が上から下へ次第に増大し、最大曲率が０．０２５以下である曲線であり、第３の組合せ面１３の断面線は、曲率が上から下へ次第に減少し、最小曲率が０．０００５を超える曲線である。
【００２０】
前記パネルボディー２とリアハウジングのアセンブリは前端部から後ろへ順に、第４の組合せ面２１、第５の組合せ面２２、第６の組合せ面２３および第７の組合せ面２４を含む。
【００２１】
前記第４の組合せ面２１、第５の組合せ面２２、第６の組合せ面２３および第７の組合せ面２４の断面線が、それぞれ異なっている曲率を備えることで、エアコンの底部は、円弧状の転移構造である。
【００２２】
フロントパネル１は、図３、４、９に示すように、パネルボディー２のフロントに覆われ、前記フロントパネル１の幅がパネルボディー２のフロントの幅より大きくなっているため、フロントパネル１とパネルボディー２の接合部において少なくとも１つのサイドにフロントパネルスカート構造１０が形成されている。パネルボディー２は、図３、６に示すように、リアにあるリアフレーム２９および左右２つのサイドプレート２８を含み、リアフレーム２９の少なくとも一方側がサイドプレート２８より突き出してパネルボディースカート構造２０が形成され、フロントパネルスカート構造１０とパネルボディースカート構造２０とが接合して「Ｕ」字形のエアコンの室内機のサイド飾り縁が形成される。
【００２３】
フロントパネル１とパネルボディー２の接合部の左右２つのサイドにいずれもスカート１０が形成され、パネルボディー２の左右両側にいずれもパネルボディースカート構造２０が形成され、室内機の左右２つのサイドにいずれも飾り縁を有することが好ましい。
【００２４】
フロントパネル1とリアフレーム２９の上部がリアハウジングの上面より高くなっている。
【００２５】
前記フロントパネルスカート構造１０の幅とパネルボディースカート構造２０の幅Ｌ２は２〜８ミリで、好ましくは４ミリであり、前記フロントパネルスカート構造１０の高さＨ１とパネルボディースカート構造２０の高さＨ２が３〜１０ミリで、好ましくは８ミリである。
【００２６】
図９に示すように、パネルボディー２のリアにリアハウジングを取り付けるための開口部２９１を有し、前記開口部２９１の下縁に、リア突起２７が配置されている。エアコンが取り付けられた後、リアハウジングと壁との間に排水ホースと冷媒配管を取り付ける空間を空けておくように、前記リア突起２７が壁に突っ張る。
【００２７】
前記リア突起２７が横方向に配置され、左右両側にそれぞれ上向きの曲げを有する。
【００２８】
前記リア突起２７の水平方向のサイズがリアフレーム２９の水平方向のサイズより小さくなっている。
【００２９】
前述した発明の実施形態は、本発明を限定するものではなく、当業者にとって、本発明の精神や原則を逸脱しないいずれの変更、置換、改良なども本発明の保護範囲内に含まれる。
【符号の説明】
【００３０】
１・・・フロントパネル、２・・・パネルボディー、１０・・・フロントパネルスカート構造、  ２０・・・パネルボディースカート構造、  １１・・・第１の組合せ面、  １２・・・第２の組合せ面、  １３・・・第３の組合せ面、  ２１・・・第４の組合せ面、  ２２・・・第５の組合せ面、  ２３・・・第６の組合せ面、２４・・・第７の組合せ面、  ２５・・・鋸歯面、２６・・・エアダンピングリブ、２７・・・リア突起、２８・・・サイドプレート、２９・・・リアフレーム、２９１・・・開口部、３・・・ディフレクタープレート、  ４・・・通風部材、５・・・熱交換器、５１・・・銅管、５２・・・フィン
【図１】
0005848323.tif 000002
【図２】
0005848323.tif 000003
【図３】
0005848323.tif 000004
【図４】
0005848323.tif 000005
【図５】
0005848323.tif 000006
【図６】
0005848323.tif 000007
【図７】
0005848323.tif 000008
【図８】
0005848323.tif 000009
【図９】
0005848323.tif 000010